【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
周波数が時間と共に変化するチャープ信号を送信する送信手段と、
前記送信手段が送信した前記チャープ信号を受信する受信アンテナ手段と、
照合すべき信号のＲＦ信号パルス列を得るＩＤ−ＴＡＧ手段と、
前記ＩＤ−ＴＡＧ手段が出力するＲＦパルス列を受信し、受信した前記ＲＦパルス列を検波復調する受信手段と、
を含むＳＡＷ−ＩＤ−ＴＡＧ装置において、
前記ＩＤ−ＴＡＧ手段は、
圧電基板と、
前記圧電基板上に設けられ前記チャープ信号をＲＦパルス状のＳＡＷに変換するＳＡＷ変換電極であって、前記チャープ信号の有する周波数に対する遅延時間の傾斜と逆の周波数遅延時間傾斜を有するチャープ電極で形成されたＳＡＷ変換電極と、
前記圧電基板上のＳＡＷ伝搬路上に設けられた複数の符号化電極であって、前記ＳＡＷ変換電極からそれぞれ所定の距離間隔で配置された複数の符号化電極と、
前記複数の符号化電極が生成するＲＦパルス列を送信アンテナに伝達する伝達手段と、
前記伝達手段によって前記ＲＦパルス列が供給される前記送信アンテナと、
を含むことを特徴とするＳＡＷ−ＩＤ−ＴＡＧ装置。
【請求項２】
ＲＦパルス信号を送信する送信手段と、
前記送信手段が送信した前記ＲＦパルス信号を受信する受信アンテナ手段と、
照合すべき信号のチャープ信号を得るＩＤ−ＴＡＧ手段と、
前記ＩＤ−ＴＡＧ手段が出力するチャープ信号を受信し、ＲＦパルス列に変換し、検波復調する受信手段と、
を含むＳＡＷ−ＩＤ−ＴＡＧ装置において、
前記ＩＤ−ＴＡＧ手段は、
圧電基板と、
前記圧電基板上に設けられ前記ＲＦ信号を、時間と共に周波数が変化するチャープ状のＳＡＷに変換するＳＡＷ変換電極であって、前記チャープ信号の有する周波数に対する遅延時間の傾斜と逆の周波数遅延時間傾斜を有するチャープ電極で形成されたＳＡＷ変換電極と、
前記圧電基板上のＳＡＷ伝搬路上に設けられた複数の符号化電極であって、前記ＳＡＷ変換電極からそれぞれ所定の距離間隔で配置された複数の符号化電極と、
前記複数の符号化電極が生成するＲＦパルス列を送信アンテナに伝達する伝達手段と、
前記伝達手段によって前記チャープ信号が供給される前記送信アンテナと、
を含み、
前記受信手段は、
前記チャープ信号に対応するマッチドフィルタであって、前記ＩＤ−ＴＡＧ手段の前記符号化電極の配置位置で規定される遅延時間で複数のパルス列に変換するマッチドフィルタ、
を含むことを特徴とするＳＡＷ−ＩＤ−ＴＡＧ装置。
【請求項３】
請求項１又は２記載のＳＡＷ−ＩＤ−ＴＡＧ装置において、
前記送信アンテナと受信アンテナとは、同一のアンテナを共用していることを特徴とするＳＡＷ−ＩＤ−ＴＡＧ装置。
【請求項４】
請求項１又は２記載のＳＡＷ−ＩＤ−ＴＡＧ装置において、
前記符号化電極は、電極指の接続極性を変更することによって、位相変調に対応する符号化電極であることを特徴とするＳＡＷ−ＩＤ−ＴＡＧ装置。
【請求項５】
請求項１又は２記載のＳＡＷ−ＩＤ−ＴＡＧ装置において、
前記符号化電極は、電極指の位置をＳＡＷ伝搬方向にシフトすることによって、位相変調に対応する符号化電極であることを特徴とするＳＡＷ−ＩＤ−ＴＡＧ装置。
【請求項６】
請求項１又は２記載のＳＡＷ−ＩＤ−ＴＡＧ装置において、
前記符号化電極は、パルス間間隔の符号化に対応するために、電極指相互の間隔が変更されている符号化電極であることを特徴とするＳＡＷ−ＩＤ−ＴＡＧ装置。
【請求項７】
請求項１又は２記載のＳＡＷ−ＩＤ−ＴＡＧ装置において、
前記符号化電極は、電気的に接続された電極指の有無によって、ＯＮ／ＯＦＦキーイングに対応する符号化電極であることを特徴とするＳＡＷ−ＩＤ−ＴＡＧ装置。
【請求項８】
請求項１記載のＳＡＷ−ＩＤ−ＴＡＧ装置において、
前記ＳＡＷ変換電極には、前記変換されるＲＦパルスにタイムサイドローブを生じないようにするために、重み付けがなされていることを特徴とするＳＡＷ−ＩＤ−ＴＡＧ装置。
【請求項９】
請求項８記載のＳＡＷ−ＩＤ−ＴＡＧ装置において、
前記重み付けは所定の窓関数に基づいて行われていることを特徴とするＳＡＷ−ＩＤ−ＴＡＧ装置。
【請求項１０】
請求項９記載のＳＡＷ−ＩＤ−ＴＡＧ装置において、
前記所定の窓関数はハミング窓又は、Ｄｏｌｐｈ−ｃｈｅｂｙｓｈｅｖ窓関数又はＴａｙｌｏｒ窓関数又はｃｏｓ2窓関数又はｃｏｓ3窓関数又はｃｏｓ4窓関数であることを特徴とするＳＡＷ−ＩＤ−ＴＡＧ装置。
【請求項１１】
請求項１記載のＳＡＷ−ＩＤ−ＴＡＧ装置において、
前記ＩＤ−ＴＡＧ手段の通過特性が、入力する前記チャープ信号に対するマッチドフィルタ特性を有していることを特徴とするＳＡＷ−ＩＤ−ＴＡＧ装置。
【手続補正２】
【補正対象書類名】明細書
【補正対象項目名】００２６
【補正方法】変更
【補正の内容】
【００２６】
第１の本発明は、周波数が時間と共に変化するチャープ信号を送信する送信手段と、前記送信手段が送信した前記チャープ信号を受信する受信アンテナ手段と、照合すべき信号のＲＦ信号パルス列を得るＩＤ−ＴＡＧ手段と、前記ＩＤ−ＴＡＧ手段が出力するＲＦパルス列を受信し、受信した前記ＲＦパルス列を検波復調する受信手段と、を含むＳＡＷ−ＩＤ−ＴＡＧ装置において、特に、前記ＩＤ−ＴＡＧ手段が以下のような事項を含むものである。
【手続補正３】
【補正対象書類名】明細書
【補正対象項目名】００２７
【補正方法】変更
【補正の内容】
【００２７】
すなわち、前記ＩＤ−ＴＡＧ手段は、圧電基板と、前記圧電基板上に設けられ前記チャープ信号をＲＦパルス状のＳＡＷに変換するＳＡＷ変換電極であって、前記チャープ信号の有する周波数に対する遅延時間の傾斜と逆の周波数遅延時間傾斜を有するチャープ電極で形成されたＳＡＷ変換電極と、前記圧電基板上のＳＡＷ伝搬路上に設けられた複数の符号化電極であって、前記ＳＡＷ変換電極からそれぞれ所定の距離間隔で配置された複数の符号化電極と、前記複数の符号化電極が生成するＲＦパルス列を送信アンテナに伝達する伝達手段と、前記伝達手段によって前記ＲＦパルス列が供給される前記送信アンテナと、を含むことを特徴とする。
【手続補正４】
【補正対象書類名】明細書
【補正対象項目名】００２８
【補正方法】変更
【補正の内容】
【００２８】
第２の本発明は、ＲＦパルス信号を送信する送信手段と、前記送信手段が送信した前記ＲＦパルス信号を受信する受信アンテナ手段と、照合すべき信号のチャープ信号を得るＩＤ−ＴＡＧ手段と、前記ＩＤ−ＴＡＧ手段が出力するチャープ信号を受信し、ＲＦパルス列に変換し、検波復調する受信手段と、を含むＳＡＷ−ＩＤ−ＴＡＧ装置において、前記ＩＤ−ＴＡＧ手段が以下のような事項を含むことを特徴とする。
【手続補正５】
【補正対象書類名】明細書
【補正対象項目名】００２９
【補正方法】変更
【補正の内容】
【００２９】
すなわち、前記ＩＤ−ＴＡＧ手段は、圧電基板と、前記圧電基板上に設けられ前記ＲＦ信号を、時間と共に周波数が変化するチャープ状のＳＡＷに変換するＳＡＷ変換電極であって、前記チャープ信号の有する周波数に対する遅延時間の傾斜と逆の周波数遅延時間傾斜を有するチャープ電極で形成されたＳＡＷ変換電極と、前記圧電基板上のＳＡＷ伝搬路上に設けられた複数の符号化電極であって、前記ＳＡＷ変換電極からそれぞれ所定の距離間隔で配置された複数の符号化電極と、前記複数の符号化電極が生成するＲＦパルス列を送信アンテナに伝達する伝達手段と、前記伝達手段によって前記チャープ信号が供給される前記送信アンテナと、を含むことを特徴とする。